(57)【特許請求の範囲】
【請求項１】
表示用領域と不透明領域とを有するタッチパネルにおいて、
透明基板と、
前記透明基板上に設けられ、不透明領域を形成するとともに少なくとも遮光機能層を有する遮光層と、
前記透明基板の表示用領域上に設けられた透明電極および透光層とを備え、
前記不透明領域の遮光層は前記表示用領域と前記不透明領域の境界を画定し、
前記透光層は前記表示用領域から前記遮光層上まで延び、
前記不透明領域の遮光層は前記表示用領域に向って徐々に厚みが小さくなって、遮光機能層を有する薄肉延長部を形成して、前記表示用領域と前記不透明領域の境界を画定し、
前記薄肉延長部の前記遮光機能層は黒色顔料を含むことを特徴とするタッチパネル。
【請求項２】
前記透光層は、前記透明電極上に設けられたＩＭ層を含むことを特徴とする請求項１記載のタッチパネル。
【請求項３】
前記透光層は、前記ＩＭ層上に設けられた保護層を更に含むことを特徴とする請求項２記載のタッチパネル。
【請求項４】
前記遮光層は白色系樹脂層と、色調整層と、裏打ち層とを有し、このうち色調整層または裏打ち層は遮光機能層として機能することを特徴とする請求項１乃至３のいずれか記載のタッチパネル。
【発明の詳細な説明】
【技術分野】
【０００１】
本発明は、タッチパネルに係り、とりわけ表示用領域と不透明領域との間の境界を明確化することができるタッチパネルに関する。
【背景技術】
【０００２】
近年、スマートフォン、タブレットＰＣ（パーソナルコンピュータ）など各種表示装置において、表示パネルと組み合わせて使用されるタッチパネルが急速に普及してきている。
【０００３】
タッチパネルは、表示用領域と不透明領域とを有し、透明基板と、透明基板上に設けられた第１透明電極および第２透明電極を有する透明電極と、不透明領域を構成する遮光層とを備えている。また第１透明電極および第２透明電極は、透明基板側からみた場合、互いに交差する線状を呈するため、第１透明電極および第２透明電極を隠すため透明基板側にＩＭ層（Ｉｎｄｅｘ  Ｍａｔｃｈｉｎｇ層）を設けることがある。
【先行技術文献】
【特許文献】
【０００４】
【特許文献１】特開２０１０−１９８１０３号公報
【発明の概要】
【発明が解決しようとする課題】
【０００５】
上述のように、タッチパネルの透明基板には、線状に現われる第１透明電極および第２透明電極からなる透明電極を隠すため、ＩＭ層が設けられているが、透明電極上にＩＭ層を設けた場合、表示用領域と不透明領域との間の境界でＩＭ層により干渉縞が生じることがあり、この場合は表示用領域と不透明領域との間の境界が不明確となり、この境界で視覚ムラが生じる。あるいは不透明領域を構成する材料によって、表示用領域と不透明領域との間の境界が不明確となることがある。このような表示用領域と不透明領域との間の境界における視覚ムラは、ＩＭ層を設ける代わりに保護層を設けた場合に、保護層に生じる干渉縞によっても生じる。
【０００６】
本発明はこのような点を考慮してなされたものであり、表示用領域と不透明領域との間の境界を明確化することができ、かつこの境界において、視覚ムラが生じることがないタッチパネルを提供することを目的とする。
【課題を解決するための手段】
【０００７】
本発明は、表示用領域と不透明領域とを有するタッチパネルにおいて、透明基板と、前記透明基板上に設けられ、不透明領域を形成するとともに少なくとも遮光機能層を有する遮光層と、前記透明基板の表示用領域上に設けられた透明電極および透光層とを備え、前記不透明領域の遮光層は前記表示用領域と前記不透明領域の境界を画定し、前記透光層は前記表示用領域から前記遮光層上まで延びることを特徴とするタッチパネルである。
【０００８】
本発明は、前記不透明領域の遮光層は前記表示用領域に向って徐々に厚みが小さくなって、遮光機能層を有する薄肉延長部を形成することを特徴とするタッチパネルである。
【０００９】
本発明は、前記透光層は、前記透明電極上に設けられたＩＭ層を含むことを特徴とするタッチパネルである。
【００１０】
本発明は、前記透光層は、前記ＩＭ層上に設けられた保護層を更に含むことを特徴とするタッチパネルである。
【００１１】
本発明は、前記遮光層は前記遮光機能層として、ブラックマトリクス層を含むことを特徴とするタッチパネルである。
【００１２】
本発明は、前記遮光層は白色系樹脂層と、色調整層と、裏打ち層とを有し、このうち色調整層または裏打ち層は遮光機能層として機能することを特徴とするタッチパネルである。
【発明の効果】
【００１３】
本発明によれば、表示用領域と不透明領域との間の境界を明確にすることができ、このことによりこの境界において視覚ムラが生じることはない。
【図面の簡単な説明】
【００１４】
【図１】図１は本発明によるタッチパネルを示す断面図。
【図２】図２はタッチパネルを示す平面図。
【図３】図３は図１のＡ部拡大平面図。
【図４】図４（ａ）（ｂ）はＩＭ層の機能を示す図。
【図５】図５はＩＭ層の機能を示す図。
【図６】図６はＩＭ層の機能を示す図。
【図７】図７（ａ）〜（ｄ）はタッチパネルの変形例を示す図。
【発明を実施するための形態】
【００１５】
以下、本発明の実施形態について図面を参照しながら説明する。なお、図面は概念図であり、説明上の都合に応じて適宜、構成要素の縮尺関係、縦横比等は誇張されていることがある。
【００１６】
〔Ａ〕用語の定義：
以下に、本発明において用いる主要な用語について、その定義をここで説明しておく。
【００１７】
「表側」とは、表示装置用前面保護板或いはその他の構成要素において、表示装置用前面保護板を表示パネルと組み合わせて使用したときに、表示パネルからの表示光が出光する側であり、表示パネルの表示を観察する側を意味する。
【００１８】
「裏側」とは、前記「表側」とは反対側を意味し、表示装置用前面保護板或いはその他の構成要素において、表示パネルの表示光が入光する側を意味する。
【００１９】
「第１面」と「第２面」とは、何れかが前記「表側」となり、何れの面が前記「表側」
となるかは任意である。
【００２０】
「一方の面」と、その反対側の面である「他方の面」とは、何れかが前記「表側」となり、何れの面が前記「表側」となるかは、本来は任意である。本発明においては、透明基板に対して、遮光層を必ず有する側の面を「一方の面」と呼ぶことにしており、この一方の面が裏側として使用される面となる。また、本発明においては、「表側」となる面を「第１面」とし、「裏側」となる面を「第２面」として説明する。よって、遮光層を必ず有する「一方の面」乃至は「裏側」の面は「第２面」となり、「他方の面」乃至は「表側」の面は「第１面」となる。
【００２１】
以下、本発明によるタッチパネル１０について図１乃至図３により説明する。
【００２２】
図２に示すように、タッチパネル１０は表示用領域Ａ１と、不透明領域Ａ２とを有し、不透明領域Ａ２には可視情報８が設けられている。
【００２３】
このようなタッチパネル１０は、透明基板１と、透明基板１の第１面Ｓ１と、第１面Ｓ１と反対側の第２面Ｓ２のうちの第２面Ｓ２に設けられ、不透明領域Ａ２を形成する遮光層２とを備えている。
【００２４】
また透明基板１の第２面Ｓ２および遮光層２上に第１絶縁層５ａが設けられ、さらに表示用領域Ａ１には、透明基板１に設けられた第１絶縁層５ａ上に第１透明電極４ａが設けられている。
【００２５】
さらに、表示用領域Ａ１には、透明基板１に設けられた第１絶縁層５ａ上に第２透明電極４ｂが設けられ、これら第１透明電極４ａおよび第２透明電極４ｂによって透明電極４が構成されている。
【００２６】
すなわち図２および図３に示すように、透明基板１上に設けられた第１絶縁層５ａ上において、第１透明電極４ａは横方向に並んでおり、第２透明電極４ｂは縦方向（上下方向）に並んでおり、第１透明電極４ａと第２透明電極４ｂとが交差する部分に、第１透明電極４ａと第２透明電極４ｂとの間に介在された第２絶縁層５ｂが配置されている。
【００２７】
さらに遮光層２上には配線６が設けられ、この配線６は透明電極６ａにより覆われている。また第１透明電極４ａおよび第２透明電極４ｂは表示用領域Ａ１から不透明領域Ａ２まで延びて遮光層２上において配線６に接続されている。
【００２８】
また、表示用領域Ａ１の透明電極４を覆ってＩＭ層（Ｉｎｄｅｘ  Ｍａｔｃｈｉｎｇ層）１１が設けられ、このＩＭ層１１は、表示用領域Ａ１から不透明領域Ａ２まで延びて、タッチパネル１０全体を覆っている。
【００２９】
このＩＭ層１１は、透明基板１の第１面Ｓ１側からタッチパネル１０を観客者Ｖが観察した場合、第１透明電極４ａと第２透明電極４ｂとの間の境界を埋めて、第１透明電極４ａと第２透明電極４ｂとの間の境界が外方に現われることを防止するよう機能する。このように、第１透明電極４ａと第２透明電極４ｂとの境界が外方に現われないため、第１透明電極４ａと第２透明電極４ｂが線状に外方に現われることはない。
【００３０】
またＩＭ層１１を覆って更に保護層７が設けられている。この保護層７はＩＭ層１１を保護するよう機能する。とりわけ、多面付されたタッチパネル１０を透明基板１側から切断加工して個片化する場合、切断加工時の衝撃からＩＭ層１１を守るよう機能する。
【００３１】
また遮光層２上には、赤外線透過部９が設けられ、透明基板１側から照射された赤外線がこの赤外線透過部９を介してタッチパネル１０内に浸入することができる。
なお、赤外線透過部９の位置は、ＩＭ層１１上でもよく、保護層７上でもよく、その配置位置は、特定するものではない。
【００３２】
次にタッチパネルの各構成部材について説明する。
【００３３】
＜表示用領域Ａ１と不透明領域Ａ２＞
上述のようにタッチパネル１０は、中央に表示用領域Ａ１を有し、表示用領域Ａ１の外周部に、可視光を遮蔽する不透明領域Ａ２を有する。
【００３４】
表示用領域Ａ１は、タッチパネル１０を通して、タッチパネル１０内部に設けられた表示パネルの表示内容を表示できる領域である。不透明領域Ａ２は、表示パネルが外周部に有する配線、コネクタなどを隠したり、或いは、遮光層２上に設けられた配線６などを隠したりする為の領域である。また、不透明領域Ａ２は、それが表現する色、適宜設けるロゴやマークなどの可視情報８によって加飾部にもなる領域である。
【００３５】
＜透明基板１＞
透明基板１は、少なくとも可視光線に対して透明で、タッチパネル１０の表面を保護し得る機械強度を有するものであれば、特に制限はなく、代表的には、例えばソーダ石灰ガラス、ホウケイ酸ガラス、石英ガラス、アルミノケイ酸ガラスなどのガラス板を用いることができる。とくに、ガラス板として、化学強化ガラスはフロートガラスに比べて機械的強度に優れ、その分薄くできる点で好ましい。
【００３６】
化学強化ガラスは、典型的には、ガラスの表面近傍について、ナトリウムをカリウムに代えるなどイオン種を一部交換することで、化学的な方法によって機械的物性を強化したガラスである。
【００３７】
透明基板１には、樹脂を用いることも可能である。例えば、樹脂としては、アクリル系樹脂、ポリカーボネート系樹脂、シクロオレフィン系樹脂、ポリエステル系樹脂などを用いることができる。透明基板１に樹脂を用いることで、軽量にできる上、可僥性を持たせることも可能となる。
【００３８】
透明基板１には、ガラスと樹脂との積層体を用いることもできる。透明基板１にガラスと樹脂との積層体を用いることで、ガラスの特性と樹脂の特性の両方を持たせることもできる。
【００３９】
＜遮光層＞
遮光層２は、本実施形態においては、透明基板１側から順に配置された、白色系樹脂層２ｗと、色調整層２ａと、裏打ち層２ｂとを含む。
【００４０】
このうち白色系樹脂層２ｗは、本実施形態においては、白色顔料を樹脂バインダ中に含み、白色を呈する。白色系樹脂層２ｗは、本実施形態においては、白色顔料以外の、有彩色に着色するための着色顔料、及び明度を落とす為の黒色顔料は含んでいない。白色系樹脂層２ｗは、本実施形態においては、反射率を上げて明度を高くし、白色系の色意匠の基本色としての白を担う層として形成されている。
【００４１】
色調整層２ａは、本実施形態においては、青色顔料を樹脂バインダ中に含み、青色を呈する。
【００４２】
裏打ち層２ｂは、基本的に、白色系樹脂層２ｗの透明基板１から遠い側、つまり裏側に形成され、且つ、白色系樹脂層２ｗよりも遮光性が大きい層である。裏打ち層２ｂは、本実施形態においては、黒色顔料を樹脂バインダ中に含み、黒色を呈する。この裏打ち層２ｂとして、銀、金、銅、錫、クロム、プラチナ、アルミニウム、パラジウム、モリブデン、ニッケルなどの金属及びこれらの合金からなる金属性反射層を用いてもよい。
【００４３】
本発明においては、色調整層２ａおよび裏打ち層２ｂは、遮光機能をもつ遮光機能層として機能する。
【００４４】
本実施形態においては、このような構成の遮光層２とすることで、タッチパネル１０に表側から入射した光が、白色系樹脂層２ｗに進入し、さらに青色を呈する色調整層２ａまで到達し、そこで一部反射した青色の光が、再度白色系樹脂層２ｗに戻って進入して、表示装置用前面保護板１０の表側から出射することで、白色系樹脂層２ｗの色に色調整層２ａの色が加わり、遮光層２全体としては白色系樹脂層２ｗの色と色調整層２ａの色とが合わさった色を呈することになる。本実施形態においては、白色系の色として、極薄く青みを帯びた白色が表現される。
【００４５】
しかも、白色系の色表現を、白色系樹脂層２ｗのみでなく、白色系樹脂層２ｗと色調整層２ａとの両方で行う結果、色調整層２ａが１層増えて製造工程は増えるが、多様の色の白色系の色意匠に対応することができる。この場合、厚みが厚くなる傾向があり製造条件がシビアな白色系樹脂層２ｗは同じ組成のもので対応し、白色系樹脂層２ｗよりは厚みを薄くできる色調整層２ａのみ表現する色に応じた組成のものについて製造条件を設定して対応できるので、多様な色に対して効率的な製造が可能となり、安定的な色表現が可能となる。
【００４６】
さらに、本実施形態においては、裏打ち層２ｂによって、遮光層２の遮光性も確保される。
【００４７】
以上のように、本実施形態のタッチパネル１０においては、不透明領域Ａ２の遮光層２によって多様な色の白色系の色意匠を安定的に表現でき、しかも多様な色の白色系の色意匠のものを効率よく製造できるという、効果が得られる。
【００４８】
ところで、図１に示すように透明基板１上に設けられた遮光層２は不透明領域Ａ２を形成するものであり、不透明領域Ａ２から表示用領域Ａ１に向って徐々に厚みが小さくなって、薄肉延長部２ｅを形成している。
【００４９】
遮光層２は白色系樹脂層２ｗと、色調整層２ａと、裏打ち層２ｂとを含み、薄肉延長部２ｅは黒色顔料を含む遮光機能層としての裏打ち層２ｂからなる。このような裏打ち層２ｂからなる薄肉延長部２ｅによって表示用領域Ａ１と不透明領域Ａ２との間の境界Ｂが画定される。
【００５０】
このように表示用領域Ａ１と不透明領域Ａ２との間の境界Ｂが裏打ち層２ｂからなる薄肉延長部２ｅにより画定されるため、この境界Ｂが例えば白色系樹脂層２ｗにより画定される場合に比べて境界Ｂをより明確に画定することができる。
【００５１】
なお境界Ｂを画定する薄肉延長部２ｅが、遮光機能層としての裏打ち層２ｂからなる例を示したが、これに限らず遮光機能層としての機能する色調整層２ａによって薄肉延長部２ｅを構成してもよい。
【００５２】
以上のように裏打ち層２ｂまたは色調整層２ａからなる遮光機能層によって、表示用領域Ａ１と不透明領域Ａ２との間の境界Ｂを画定することができるので、この境界Ｂをより明確に画定することができる。
【００５３】
また上述した透明電極４を覆うＩＭ層１１およびＩＭ層１１を覆う保護層７は、いずれも光透光性をもつ透光層となっている。これらの透光層７、１１は、表示用領域Ａ１から不透明領域Ａ２まで延びているが、この表示用領域Ａ１と不透明領域Ａ２との間の境界Ｂ近傍において、透光層７、１１が傾斜して配置されると、透光層７、１１に干渉縞が生じて視覚ムラが発生することがある。
【００５４】
本実施の形態によれば、透光層２は不透明領域Ａ２から表示用領域Ａ１に向って徐々に厚みが小さくなって、薄肉延長部２ｅを形成するとともに、この薄肉延長部２ｅによって表示用領域Ａ１と不透明領域Ａ２との間の境界Ｂが画定され、透光層７、１１はこの薄肉延長部２ｅ上に配置されているため、境界Ｂ近傍において透光層７、１１に干渉縞が生じることはない。
【００５５】
＜第１絶縁層５ａ＞
本実施形態においては、遮光層２の最表面に設けられた裏打ち層２ｂが黒色顔料又は金属性反射層を含み、このことにより導電性を示す場合、この遮光層２の最表面に配線や透明電極などの導体がさらに形成されるため、遮光層２の面上に第１絶縁層５ａが形成される。そしてこの第１絶縁層５ａによって、互いに独立な導体同士がショートするのを防ぐことができる。
【００５６】
また、第１絶縁層５ａは、金属材料を用いた金属性反射層の酸化などによる劣化を防ぐ保護層として機能させることもできる。したがって、最表面が導電性を示す遮光層２に接して導体が形成されない場合でも、最表面が金属性反射層のように酸化による劣化が予想されるときは、第１絶縁層５ａを遮光層２の面上に保護層として設けることが好ましい。
【００５７】
なお、遮光層２の側面で導電性を示す層部分と導体とが接触する可能性があるとき、或いは側面での酸化劣化などが予想されるときは、いうまでもなく、第１絶縁層５ａは側面も含めて遮光層２を被覆するのが好ましい。
【００５８】
第１絶縁層５ａは透明層からなり、この第１絶縁層５ａは、不透明領域Ａ２および表示用領域Ａ１を覆って形成される。
【００５９】
第１絶縁層５ａとしては、耐熱性の点で硬化性樹脂を用いることが好ましく、例えば、エポキシ系樹脂、アクリル系樹脂、ポリイミド系樹脂などを用いることができ、具体例を挙げれば、熱硬化性のエポキシ樹脂などを用いることができる。
【００６０】
第１絶縁層５ａを形成する場合、公知の方法によればよく、例えば、第１絶縁層５ａは、上記のような樹脂系の感光性樹脂を用いることで、フォトリソグラフィ法によって形成することができる。
【００６１】
第１絶縁層５ａの厚みは、絶縁性などを考慮して、例えば０．１〜１０μｍ、通常０．５〜５μｍである。
【００６２】
＜透明電極４＞
透明電極４は、上述のように、互いに絶縁されて形成される第１透明電極４ａ及び第２透明電極４ｂから構成される。
【００６３】
第１透明電極４ａ、第２透明電極４ｂは、本実施形態においては同じ材料で形成してある。よって、本明細書において、これらを纏めて言うときは、単に「透明電極４」とも呼ぶ。
【００６４】
本実施形態では、タッチパネルの位置検知用の透明電極４として、第１透明電極４ａと、第２透明電極４ｂとを、ともに同一の面上に形成するタッチパネル構造を採用している。すなわち、第１透明電極４ａ及び第２透明電極４ｂは、透明基板１の同一の面である第２面Ｓ２の面上に形成される。
【００６５】
第１透明電極４ａ及び第２透明電極４ｂのパターンは、投影型静電容量方式では各種パターンが知られており、特に限定はない。典型的には、複数の第１透明電極４ａが、第１の方向（図２の横方向）に延びて、この第１の方向に交差する方向、通常は直交する方向を第２の方向（図２の縦方向）として、第２透明電極４ｂが第２の方向に延びたパターンとなっている。
【００６６】
第１透明電極４ａと第２透明電極４ｂとの交差部分は、互いに第２絶縁層５ｂによって絶縁されている。第２絶縁層５ｂは、少なくとも第１透明電極４ａと第２透明電極４ｂとの交差部分に必要となる。
【００６７】
第１透明電極４ａと第２透明電極４ｂとのうち一方の電極のみ、具体的には第１透明電極４ａのみ、他方の電極との交差部分が欠損したパターンで同一の面に同時に形成した後、交差部分のみ第２絶縁層５ｂを形成し、この後、第２絶縁層５ｂを跨いで、欠損部分を電気的に接続する接続部４ａＣを設ける。そしてこの接続部４ａＣが透明電極４ａの一部となる。
【００６８】
図１において、前記交差部分は、透明基板１に近い側の透明電極４が、第１透明電極４ａであるので、第１透明電極４ａが形成され後の交差部分に対して第２絶縁層５ｂが形成され、交差部分を跨いで接続部４ａＣが形成されて第２透明電極４ｂが完成する。
【００６９】
そして、第１透明電極４ａ及び第２透明電極４ｂからなる透明電極４は、中央の表示用領域Ａ１内の表示用領域から不透明領域Ａ２の遮光層２に重なる部分まで延びて配線６に電気的に接続されている。
【００７０】
透明電極４としては、公知の材料及び形成法を採用することができる。
【００７１】
本実施形態においては、透明電極４には、層自体が透明である透明導電体膜が用いられる。透明導電体膜からなる透明電極４としては、例えば、ＩＴＯ（ＩｎｄｉｕｍＴｉｎＯｘｉｄｅ；インジウム錫酸化物）、ＩｎＺｎＯ（ＩｎｄｉｕｍＺｉｎｃＯｘｉｄｅ；インジウム亜鉛酸化物）、ＡｌＺｎＯ（ＡｌｕｍｉｎｕｍＺｉｎｃＯｘｉｄｅ；アルミニウム亜鉛酸化物）、ＩｎＧａＺｎＯ（ＩｎｄｉｕｍＧａｒｉｕｍＺｉｎｃＯｘｉｄｅ；インジウムガリウム亜鉛酸化物）等の透明導電体膜をパターン形成したものを用いることができる。
【００７２】
＜第２絶縁層５ｂ＞
第２絶縁層５ｂとしては、公知の材料及び形成法を採用することができる。例えば、第２絶縁層５ｂとして樹脂を用いる場合には、エポキシ系樹脂、アクリル系樹脂、ポリイミド系樹脂などを用いることができ、具体例を挙げれば、例えば、これらの樹脂系の感光性樹脂などを用いることができる。感光性樹脂の場合は、フォトリソグラフィ法を利用して形成することができる。また、第２絶縁層５ｂとしては、酸化ケイ素などの無機材料を用いることもできる。
【００７３】
＜配線６＞
配線６としては、公知の材料及び形成法を採用することができる。例えば、配線６には、銀、金、銅、クロム、プラチナ、アルミニウム、パラジウム、モリブデンなどの金属（含むその合金）などを用いることができる。配線６は、例えば、銀、パラジウム及び銅からなる銀合金（ＡＰＣとも言う）の金属層としてスパッタ法により製膜後、フォトリソグラフィ法及びエッチング法によりパターン形成することができる。
【００７４】
配線６には、モリブデン（Ｍｏ）／アルミニウム（Ａ１）／モリブデン（Ｍｏ）と３層積層構造の導電性層（ＭＡＭと呼ばれている）を用いることもできる。
【００７５】
本実施形態においては、配線６は、銀、パラジウム及び銅からなる銀合金（ＡＰＣとも言う）によって、金属層としてフォトリソグラフィ法及びエッチング法を利用して形成されている。
【００７６】
本発明においては、配線６の形成法としては、特に制限はなく、スクリーン印刷法、インクジェット印刷法などの印刷法によって形成してもよい。
【００７７】
＜保護層７＞
本発明においては、例えば、図１に例示するタッチパネル１０のように、ＩＭ層１１の面上に保護層７が形成されていてもよい。図１に示すように、保護層７は透明基板１の第２面Ｓ２の面上の最表層として、表示用領域Ａ１及び不透明領域Ａ２の全面に形成されている。この保護層７は絶縁性であるとき絶縁層７と言うこともできる。
【００７８】
透明電極４或いは配線６に接して形成される保護層７は絶縁性をもつ。配線６上に形成される保護層７は、配線６がフレキシブルプリント配線基板（ＦＰＣ）を介して制御回路に接続する部分は形成せず、配線６を露出させておく。
【００７９】
保護層７によって、絶縁性、耐傷付き性などを向上させることができる。
【００８０】
保護層７としては、公知の材料及び形成法を採用することができる。保護層７には、透明な樹脂、それも耐熱性の点で硬化性樹脂が好ましく、例えば、エポキシ系樹脂、アクリル系樹脂、ポリイミド系樹脂などを用いることができ、具体例を挙げれば、熱硬化性のエポキシ樹脂などを用いることができる。また、硬化性樹脂としては、紫外線などで硬化する感光性樹脂などを用いることもできる。感光性樹脂の場合は、部分形成するときにフォトリソグラフィ法を利用することができる。部分形成しないときは、保護層７は、塗工法で形成することができる。
【００８１】
本発明においては、保護層７は、要求仕様などに応じて、不透明領域Ａ２及び表示用領域Ａ１を含む透明基板１の全面に設けられていてもよいし、全面に設けられていなくてもよい。
【００８２】
＜ＩＭ層１１＞
ＩＭ層（Ｉｎｄｅｘ  Ｍａｔｃｈｉｎｇ層）１１は、白色系樹脂層２ｗに対する黄変を抑制するとともに、表示用領域Ａ１にパターン形成され得る透明電極４に対して、そのパターンを見えにくく不可視化層として機能する。
【００８３】
このようなＩＭ層１１は表示用領域Ａ１に配置された第１透明電極４ａおよび第２透明電極４ｂからなる透明電極４を覆うとともに、不透明領域Ａ２まで延びて遮光層２上に配置された配線６も覆っている。
【００８４】
まず、ＩＭ層１１の黄変防止機能について説明する。なお、本発明において、「黄変防止」とは、黄変を少しでも防止できることも含む。よって、黄変防止のことを、黄変を抑制するとも言うこととする。
【００８５】
ＩＭ層１１は、耐光性が不足することによって生じる白色系樹脂層２ｗの黄変に対して、それを抑制するために、空気中の酸素が白色系樹脂層２ｗに接触するのを防ぐ機能を有することが好ましい。このため、ＩＭ層１１は白色系樹脂層２ｗを被覆する層として形成される。また、ＩＭ層１１は、酸素透過度が小さい層であることが好ましい。
【００８６】
こうしたＩＭ層１１としては、白色系樹脂層２ｗが太陽光を受けたときに、黄変につながる変質を抑制できる程度の小さい酸素透過度を示すことが好ましい。
【００８７】
ＩＭ層１１の材料及び厚みは、ＪＩＳＫ７１２６−２のＡ法、２３℃、５０％ＲＨの条件で、層の酸素透過度〔ｃｍ３／（ｍ２・ｄ・ａｔｍ）〕が好ましくは１．０以下、より好ましくは０．１以下となるように設定するのがよい。
【００８８】
酸素透過度が大き過ぎると、黄変防止機能が充分に得られないことがあり、また、小さ過ぎても過剰性能となるだけである。
【００８９】
ＩＭ層１１による黄変防止は、ＩＭ層１１によって白色系樹脂層２ｗの耐光性が向上することによるためであると考えられる。そこで、ＩＭ層１１によって、白色系樹脂層２ｗの耐光性が向上するメカニズムについて、ここで考察する。
【００９０】
本発明においては、遮光層２に用いる白色系樹脂層２ｗの耐光性を向上させるために、白色系樹脂層２ｗに当たる光が来る方向とは反対側に、ＩＭ層１１という透明な層を設ける。白色系樹脂層２ｗの耐光性を向上させる方策に対する通常の発想ならば、白色系樹脂層２ｗに対して光が来る側に、例えば紫外線吸収機能を有する紫外線吸収層を設けるなどして、耐光性を向上させることになる。この紫外線吸収層は、白色系樹脂層２ｗの色が表側から見える必要から可視光に対しては透明である。
【００９１】
しかし、驚くべきことに、本発明者らは、光が来る方向とは反対側、つまり白色系樹脂層２ｗの裏側に、ＩＭ層１１を設けることで、白色系樹脂層２ｗの耐光性が向上して黄変を抑制できることを、偶然に発見して、本発明に至った。
【００９２】
したがって、ＩＭ層１１は、白色系樹脂層２ｗの光劣化による黄変の原因となる光を遮蔽する機能は、全くと言ってよいほど持たない。このため、ＩＭ層１１を設けることによって、白色系樹脂層２ｗの耐光性が向上するメカニズムは、現段階に於いては不明である。ただ、ＩＭ層１１による耐光性向上のメカニズムは、想像するに、白色系樹脂層２ｗの裏側に設けたＩＭ層１１によって現実に耐光性が向上していることから判断すると、白色系樹脂層２ｗの光劣化には、光と共に空気中の酸素の存在も影響していると考えられる。つまり、白色系樹脂層２ｗの裏側から酸素が供給され、この酸素と、表側から到達する光との協同作用によって、白色系樹脂層２ｗ中の物質の光酸化反応が促進されているのではないかと思われる。
【００９３】
ＩＭ層１１による黄変防止性能の指標としては、本発明においては、特に限定されない。黄変が防止されていることが分かる指標であればよい。本実施形態においては、黄変防止性能の指標として、ＪＩＳＺ８７２９によるＬ＊ａ＊ｂ＊表色系において、ＪＩＳＺ８７３０で規定される色差ΔＥ＊ａｂが小さくなっていることで判断した。なお、色差以外の指標としては、例えば、色のスペクトル変化、などを採用することもできる。
【００９４】
本実施形態においては、具体的には次の様にして測定評価した。すなわち、タッチパネル１０を試験片として、耐光性試験機によって促進試験を実施前と実施後、遮光層２の部分の表側からの色を測色して黄変の程度を判断した。
【００９５】
耐光性試験機としては、例えば、キセノンロングライフフェードメーターＦＡＬ−２５ＡＸ（スガ試験機械株式会社製）を用いることができる。
【００９６】
測色には、市販の測色計、分光測色計などを用いることができる。測色時の光源は、例えば、ＣＩＥ（国際照明委員会）規定の光源Ｃ又は光源Ｄを用いることができる。測色時の光学系は、ＳＣＩ（正反射光込み）又はＳＣＥ（正反窮光除去）とすることができる。
【００９７】
耐光性試験機での試験時間は、通常、１００ｈ以上、好ましくは５００ｈ以上、より好ましくは１０００ｈ以上である。この時間内で、黄変の指標の変化がＩＭ層１１によって小さくなっていれば、黄変が改善されたと言える。さらに、変化が許容できる範囲内であれば、黄変防止性能が実用的に得られたと言える。
【００９８】
ちなみに、本実施形態では、ＩＭ層１１として、気相成長法で形成した五酸化ニオブ（Ｎｂ２０５）の無機物層を用いることで、表１に示す結果が得られた。すなわち、ＩＭ層１１を設けなかった構成では、色差ΔＥ＊ａｂが４．９５であったのに対して、ＩＭ層１１を設けた本実施形態の構成では、色差ΔＥ＊ａｂを１．４４と小さくすることができた。
【００９９】
測定は、光源Ｄ６５を用いてＳＣＩ条件でＪＩＳＺ８７２９によるＬ＊ａ＊ｂ＊表色系において、ＪＩＳＺ８７３０で規定される色差ΔＥ＊ａｂで評価した値である。
【表１】
0006459054.tif 000002
【０１００】
またＩＭ層１１は不可視化層を兼用する層として形成される。ＩＭ層１１が有する不可視化層としての不可視化機能とは、タッチパネル１０を表側から観察したときに、表示用領域Ａ１にパターン形成される透明電極４のパターンを肉眼で見えにくくする機能のことを言う。
【０１０１】
本発明において、「不可視化」とは、透明電極４のパターンを肉眼で完全に見えなくすることはもちろん、これ以外に、透明電極４のパターンが見えるが、不可視化層を設けなかった場合に比べて見えにくくなることも含む。
【０１０２】
図４は、不可視化層を兼用するＩＭ層１１によって、透明電極４のパターンが見えにくくなる原理を説明するタッチパネルの概略断面図である。ここでは、ＩＭ層１１の不可視化機能に注目して説明するために、「ＩＭ層１１」を「不可視化層１１」とも呼ぶことにする。
【０１０３】
ＩＭ層１１による透明電極４の不可視化の原理は、注目する物質界面を構成する両物質それぞれの屈折率の差を調整することによって実現される。
【０１０４】
まず、透明基板１、不可視化層１１（ＩＭ層１１）、透明電極４、保護層７のそれぞれの屈折率を次のように定義する。
【０１０５】
透明基板１の屈折率はｎ１、
不可視化層１１の屈折率はｎ３、
透明電極４の屈折率はｎ４、
保護層７の屈折率はｎ５。
【０１０６】
また、透明基板１、不可視化層１１（ＩＭ層１１）、透明電極４、保護層７のそれぞれの具体的な屈折率を、説明を分かりやすくために、次の値であると仮定する。
【０１０７】
透明基板１の屈折率ｎ１＝１．５、
不可視化層１１の屈折率ｎ３＝１．８、
透明電極４の屈折率ｎ４＝２．０、
保護層７の屈折率ｎ５＝１．５。
【０１０８】
この屈折率の設定は、不可視化層１１の屈折率ｎ３を、透明基板１の屈折率ｎ１と透明電極４の屈折率ｎ４の間の屈折率とする設定である。つまり、
ｎ１＜ｎ３≦ｎ４〔式１〕
の関係を満たす設定である。
【０１０９】
なお、保護層７とは、樹脂からなるオーバーコート層などである。実用上、この部分が空気層となることは少ないので、より現実的な保護層７が積層された状態で説明する。
【０１１０】
物質界面での光反射の強度は、物質界面を構成する両物質の屈折率差Δｎが関係し、屈折率差Δｎが大きくなるほど大きくなる。したがって、界面での光反射を小さくする点にのみ注目すれば、屈折率差Δｎがより小さくなるように、不可視化層１１の屈折率ｎ３を設定すればよいことになる。ただ、本発明においては、透明電極４のパターンの形成部での反射率と、非形成部での反射率とが、なるべく等しくなるように、不可視化層１１の屈折率を設定することが好ましい。
【０１１１】
先ず、図４（ａ）は、不可視化層１１が存在しない従来の構成を示す。
【０１１２】
透明電極４のパターンが形成されてない非形成部にて、透明基板１と保護層７との界面での屈折率差Δｎ１５は、両者の屈折率が等しいので０．０である。よって、この部分へ到達する光Ｌは、反射しないで透過する。
【０１１３】
次に、透明基板１と透明電極４との界面での屈折率差Δｎ１４は０．５である。
【０１１４】
また、透明電極４と保護層７との界面での屈折率差Δｎ４５は０．５である。
【０１１５】
したがって、透明電極４の形成部での屈折率差と、非形成部の屈折率差との違いΔΔｎは０．５である。この０．５の屈折率差同士の違いΔΔｎが、反射率の違いとなって、透明電極４のパターンが肉眼で視認されることとなる。
【０１１６】
次に、図４（ｂ）は不可視化層１１が存在する構成を示す。図４（ｂ）は、透明電極４が不可視化層１１と透明基板１との間に存在する形態である。また、不可視化層１１は透明電極４の非形成部にも存在する。
【０１１７】
この場合も、屈折率差に注目する界面は、透明電極４が接する面である。よって、不可視化層１１と保護層７との界面は除外される。
【０１１８】
透明基板１と不可視化層１１との界面での屈折率差Δｎ１３は０．３であり、
透明基板１と透明電極４との界面での屈折率差Δｎ１４は０．５であり、
透明電極４と不可視化層１１との界面での屈折率差Δｎ４３は０．２である。
【０１１９】
したがって、透明電極４の形成部での屈折率差と非形成部の屈折率差との違いΔΔｎは、屈折率差Δｎ１３と屈折率差Δｎ１４との差であり、ΔΔｎは０．２である。したがって、不可視化層１１が存在しない図４（ａ）の従来の場合のΔΔｎ＝０．５を、０．２まで小さくできる。このため、透明電極４の形成部と非形成部との反射率の差が縮まり、不可視化がなされることになる。
【０１２０】
次に、図５で、不可視化層１１の屈折率ｎ３が、透明電極４の屈折
率ｎ４と等しく設定された場合を説明する。図５はＩＭ層１１の機能を示すタッチパネルの概略断面図である。
【０１２１】
ここで、
ｎ３＝ｎ４〔式２〕
にて、ｎ３＝ｎ４＝２．０の場合で説明する。
【０１２２】
図５は、前記図４（ｂ）の層構成に該当し、透明電極４が不可視化層１１と透明基板１との間に、これら両層に接して存在する形態である。また、不可視化層１１は透明電極４の非形成部にも存在する。
【０１２３】
透明基板１と不可視化層１１との界面での屈折率差Δｎ１３は０．５であり、
透明基板１と透明電極４との界面での屈折率差Δｎ１４は０．５であり、
透明電極４と不可視化層１１との界面での屈折率差Δｎ４３は０．０である。
【０１２４】
この構成では、透明電極４の形成部での屈折率差と、非形成部の屈折率差との違いΔΔｎは、屈折率差Δｎ１３と屈折率差Δｎ１４との差であり、ΔΔｎは０．０である。このため、透明電極４の形成部と非形成部との反射率に差は生じず、理論上完全な不可視化がなされることになる。
【０１２５】
次に、不可視化層１１の屈折率ｎ３が、透明電極４の屈折率ｎ４よりも大きく設定された場合を図６により説明する。図６はＩＭ層１１の機能を示すタッチパネルの概略断面図である。
【０１２６】
ここで、
ｎ３＞ｎ４〔式３〕
である。
【０１２７】
ここでは、ｎ３＝２．３に設定されたときで説明する。
【０１２８】
図６は、前記図４（ｂ）の層構成に該当し、透明電極４が不可視化層１１と透明基板１との間に、これら両層に接して存在する形態である。また、不可視化層１１は透明電極４の非形成部にも存在する。
【０１２９】
透明基板１と不可視化層１１との界面での屈折率差Δｎ１３は０．８であり、
透明基板１と透明電極４との界面での屈折率差Δｎ１４は０．５であり、
透明電極４と不可視化層１１との界面での屈折率差Δｎ４３は０．３である。
【０１３０】
したがって、透明電極４の形成部での屈折率差と非形成部の屈折率差との違いΔΔｎは、屈折率差Δｎ１３と屈折率差Δｎ１４との差であり、ΔΔｎは０．３である。したがって、不可視化層１１が存在しない図２（ａ）の従来の場合のΔΔｎ＝０．５を、０．３まで小さくできる。このため、透明電極４の形成部と非形成部との反射率の差が縮まり、不可視化がなされることになる。
【０１３１】
ところで、従来、光学分野では、光反射を小さくする手法として、相対的に屈折率が小さい低屈折率層と、この低屈折率層よりも相対的に屈折率が大きい高屈折率層とを、交互に積層する多層膜が知られている。
【０１３２】
しかし、本発明においては、以上説明したように、単層であっても、不可視化の効果が得られる。このため、コスト高となるのを抑えて、黄変防止と共に不可視化を図ることが可能となる。
【０１３３】
しかも、多層膜では界面での反射光同士の干渉による光強度の減少と増加を考慮する必要があるために、光の位相を考慮して層の厚みを最適化する必要があるのに対して、干渉を利用しない単層構成の場合は、層の厚みは不可視化の観点からは制約を受けない利点も得られる。このことは、不可視化層１１としての厚みは、黄変防止層としての黄変防止機能などを考慮して最適化すればよいという設計上の自由度も得られることにつながる。
【０１３４】
以上、分かりやすいように、具体例として仮定的な屈折率の値を例に、不可視化層１１の屈折率ｎ３と他の層の屈折率との関係で、不可視化機能を説明してきたが、本発明においては、各層の屈折率は、これら例示された値に限定されるものではない。例えば、透明基板１の屈折率ｎ１と保護層７の屈折率ｎ５は異なることもある。
【０１３５】
要は、不可視化層１１としての屈折率ｎ３は、透明電極４のパターンの形成部と非形成部での光反射の強度差を、不可視化層１１が存在しない場合に比べて、より小さくする屈折率に設定されるのが好ましい。
【０１３６】
以上の説明では、不可視化層１１の屈折率ｎ３を、透明電極４の屈折率ｎ４と等しくするのが、より好ましい構成であることを説明した。しかし、本発明においては、屈折率ｎ３と屈折率ｎ４は厳密に等しくなくても、多少の違いであれば、これらが等しいときに類似した効果が得られる。この点で、透明基板１、樹脂層５０など他の層との屈折率関係にもよるが、通常は、屈折率ｎ３と屈折率ｎ４との屈折率差Δｎ３４乃至はΔｎ４３は、好ましくは０．１以下、より好ましくは０．０５以下、さらに好ましくは０．０３以下である。
【０１３７】
以上の説明では、不可視化層１１の屈折率ｎ３は、透明基板１の屈折率ｎ１よりも大きい場合を説明してきたが、仮に屈折率ｎ３が屈折率ｎ１と等しい場合は、屈折率の点で光学的には、透明基板１と同じ層を重ねただけであり、不可視化機能を発現しない。
【０１３８】
また、屈折率ｎ３が屈折率ｎ１よりも小さい場合、つまり、
ｎ３＜ｎ１
の場合は、透明基板１の屈折率ｎ１よりも大きくなる透明電極４の屈折率ｎ４に対して、さらに透明電極４の屈折率ｎ４との屈折率差が大きい層を重ねることになるので、この点において、屈折率差の増加によって、不可視化と逆行することになる。
【０１３９】
このことから、不可視化層１１の屈折率ｎ３が、透明電極４の屈折率ｎ４に対して、あまりに大きいと、類似の現象が生じる。このため、不可視化層１１の屈折率ｎ３は、透明電極４の屈折率ｎ４との屈折率差Δｎ３４乃至はΔｎ４３は、透明基板１と透明電極４との屈折率差Δ１４未満とすることが好ましい。
【０１４０】
以上を総合すると、不可視化層１１の屈折率ｎ３は、
ｎ１＜ｎ３＜ｎ４＋（ｎ４−ｎ１）〔式４〕
とするのが好ましい。
【０１４１】
以上の説明では、一次近似として、透明電極４のパターンの形成部について、最も光反射が大きくなる界面に注目して、つまり最も大きな屈折率差を与える界面に注目して説明してきた。ただ、透明電極４の表側の界面と裏側の界面の両方での反射光の光量の和も考慮するのがさらに好ましく、説明に取り上げなかった方の界面での小さい方の屈折率差も考慮するのがより好ましい。
【０１４２】
本発明において、屈折率は、可視光域における屈折率のことであり、人間の目に対して相対的に感度が大きい波長である波長５５０ｎｍを可視光域を代表する波長として、屈折率の評価波長に採用することができる。本発明においては、もちろん、他の波長での屈折率を考慮してもよい。例えば、可視光域の全域３８０〜７８０ｎｍでの屈折率を考慮してもよい。屈折率は、市販の屈折率計を用いて測定することができる。
【０１４３】
ＩＭ層（不可視化層）１１の材料としては、黄変防止性能と共に不可視化性能を有するものであれば、特に制限はない。例えば、こうしたＩＭ層１１としては、無機物層、樹脂からなる樹脂層、或いは無機粒子を樹脂中に含有する無機粒子含有樹脂層から選ばれる１層以上を適宜選択することができる。
【０１４４】
なかでも、黄変防止性能の点では、厚みが薄くても性能が出しやすい点で、無機物層が好適である。ただし、要求性能を満足するならば、樹脂層、無機粒子含有樹脂層でもよい。
【０１４５】
一方、不可視化性能の点では、屈折率ｎ３が透明基板１よりも大きいものが好ましい。この点でも、屈折率ｎ３を容易に大きく設定できる点で、無機物層は好適である。また、無機粒子含有樹脂層も、含有させる無機粒子の選定によって、屈折率ｎ３を容易に大きく設定できる。
【０１４６】
無機物層としては、金属化合物を含む層として形成することができる。金属ではなく、金属化合物を用いることで、不可視化層としての電気絶縁性及び透明性も容易に確保することができる。金属化合物としては、例えば、金属酸化物、金属窒化物、金属炭化物などを挙げることができる。或いは、無機物層の無機物としては、非金属化合物でもよい。
【０１４７】
こうした、無機物層を構成する無機材料としては、例えば、酸化ケイ素、酸化アルミニウム、酸窒化ケイ素、窒化ケイ素、五酸化ニオブ（Ｎｂ２０５）、酸化ジルコニウム、などを用いることができる。これらは、単独で或いは２種以上の混合層として形成することができる。これらの金属化合物の屈折率は、例えば、酸窒化ケイ素は１．５〜２．０、窒化ケイ素は１．８〜２．１、五酸化ニオブは２．３、酸化ジルコニウムは２．１である。
【０１４８】
なかでも、五酸化ニオブは、電気絶縁性、透明性、皮膜強度、成膜適性などが優れている点で好ましい無機材料の一種である。
【０１４９】
無機物層の形成は、公知の薄膜形成法、例えば、蒸着法、スパッタ法、イオンプレーティング法、ＣＶＤ法などの物理的乃至は化学的な気相成長法などで形成することができる。
【０１５０】
無機物層としての黄変防止層３をパターン形成する必要があるときは、公知のエッチングレジスト及びフォトリソグラフィ法を利用して形成することができる。
【０１５１】
無機物層の厚みは、例えば、０．０５〜０．５μｍとすることができる。
【０１５２】
無機粒子含有樹脂層は、無機粒子を樹脂中に含有する層である。無機粒子含有樹脂層は、無機粒子の含有により、無機粒子を含有しない単なる樹脂層に比べて、酸素透過度を小さくすることができるとともに、不可視化層としての屈折率を樹脂よりも高めに調整することができる。無機粒子としては、例えば、前記無機物層で列記したものの粒子を用いることができる。樹脂としては、例えば、白色系樹脂層２ｗで列記した感光性樹脂、或いは、エポキシ系樹脂、アクリル系樹脂、ポリイミド系樹脂などの硬化性樹脂などを用いることができる。
【０１５３】
樹脂層としては、無機粒子含有樹脂層で列記した樹脂を用いることができる。また、フッ素含有樹脂を用いることもできる。
【０１５４】
無機粒子含有樹脂層或いは樹脂層としての黄変防止層３をパターン形成する必要があるときは、公知のフォトリソグラフィ法、印刷法を利用して形成することができる。パターン形成不要なとき、公知の塗工法でもよい。
【０１５５】
無機粒子含有樹脂層或いは樹脂層の厚みは、例えば、０．５〜１０μｍとすることができる。
【０１５６】
＜製造方法＞
本実施形態のタッチパネル１０を構成する各層は、例えば、次の様にして形成される。先ず、透明基板１の第２面Ｓ２の不透明領域Ａ２とする領域に、遮光層２して、白色系樹脂層２ｗと、色調整層２ａと、裏打ち層２ｂとをこの順にパターン形成する。次に、透明基板１の第２面Ｓ２および遮光層２に第１絶縁層５ａを形成し、その後第１絶縁層５ａ上であって不透明領域Ａ２である遮光層２の部分に、配線６をパターン形成する。次に、表示用領域Ａ１から不透明領域Ａ２にかけて、透明基板１の面上及び遮光層２の面上に設けられた第１絶縁層５ａに、透明電極４をパターン形成する。このとき、透明電極４は、遮光層２の面上に形成された配線６上に接して形成されるようにパターン形成する。次に、透明電極４の交差部分には第２絶縁層５ｂをパターン形成し、この層間絶縁層５を跨いで、透明電極４の欠損部分をパターン形成して接続部４ａＣを形成して第１透明電極４ａと第２透明電極４ｂとを含む透明電極４の全体を完成させる。次に表示用領域Ａ１に設けられた透明電極４および不透明領域Ａ２の遮光層２に設けられた配線６を覆ってＩＭ層１１が設けられ、ＩＭ層１１上に保護層７が形成される。こうして、タッチパネル１０が製造される。
【０１５７】
＜本実施形態における効果＞
以上のような構成のタッチパネル１０において、透明基板１上に透明電極４および配線６を形成した後、この透明電極４および配線６を覆ってＩＭ層１１を設けるため、第１透明電極４ａおよび第２透明電極４ｂからなる透明電極４をエッチング加工で形成する際、あるいは配線６をエッチング加工により形成する際、エッチング加工時のエッチング液にＩＭ層１１が晒されることはない。このため、ＩＭ層１１がエッチング液により腐食して膜厚が減少することもない。
【０１５８】
＜変形例＞
次に本発明の変形例を述べる。
【０１５９】
＜透明電極４＞
前記した実施形態では、透明電極４は層自体が透明な透明導電体膜によって形成されている例を示したが、これに限らず透明電極４は層自体が不透明な導体が、メッシュ状に形成されることで、見かけ上あたかも透明であるようにした導電性メッシュによって形成されていてもよい。導電性メッシュのメッシュパターンを構成する線の線幅は、不可視性の観点から好ましくは３０μｍ以下、より好ましくは１０μｍ以下である。
【０１６０】
導電性メッシュのメッシュパターン形状は、特に制限はない。例えば、メッシュパターン形状は、正方格子形状、三角格子形状、六角格子形状（ハニカム形状）、レンガ積み形状などである。
【０１６１】
不透明な導体には、例えば、前記配線６で列記した材料を用いることができる。不透明な導体には、例えば、銀、金、銅、クロム、プラチナ、アルミニウム、パラジウム、モリブデンなどの金属（含むその合金）などを用いることができる。例えば、銀、パラジウム及び銅からなる合金（ＡＰＣとも言う）の金属層としてスパッタ法により製膜後、フォトリソグラフィ及びエッチング法によりパターン形成したものを用いることができる。
【０１６２】
不透明な導体には、モリブデン（Ｍｏ）／アルミニウム（Ａ１）／モリブデン（Ｍｏ）と３層積層構造の導電性層（ＭＡＭと呼ばれている）を用いることもできる。
【０１６３】
導電性メッシュを構成する不透明な導体として、配線６と同じ材料を用いることができることを活かして、透明電極４に導電性メッシュを用いるとき、この透明電極４と配線６とを同一材料で形成してもよい。もちろん、透明電極４と配線６とを異なる材料で形成してもよい。
【０１６４】
透明電極４と配線６とを同一材料で形成することで、同時形成することも可能となる。
【０１６５】
例えば、導電性メッシュによる透明電極４と配線６とを、銀、パラジウム及び銅からなる合金（ＡＰＣとも言う）の金属層によって形成することができる。
【０１６６】
透明電極４と配線６とを同一材料で同時形成することで、工程数を減らして低コストなものとすることができる。
【０１６７】
＜透明電極４及び配線６の用途＞
透明電極４をタッチパネル用とする形態においては、タッチパネルの位置検知方式として、透明電極４が互いに異なる面に２層になる位置検知方式では、このうちの少なくとも１層を設ける形態もあり得る。
【０１６８】
透明電極４がタッチパネル用のときその位置検知方式は、抵抗膜方式など、投影型静電容量方式以外の方式のものであってもよい。
【０１６９】
本発明においては、タッチパネル１０は、タッチパネル機能をもつため、前記透明電極４及び配線６以外に、さらにその他の、例えば、コネクタ、制御回路なとのタッチパネル機能の一部、さらには全部が一体化されたものであってもよい。
【０１７０】
＜不透明領域Ａ２：可視情報８＞
本発明においては、図２にて点線で示すように、不透明領域Ａ２の部分に、可視情報８が形成されているが、この可視情報８は、不透明領域Ａ２の領域内において、製品ロゴマーク、操作説明用の文字や記号、模様などの任意の目視可能な情報である。可視情報８には、公知の材料及び形成法を採用することができる。
【０１７１】
例えば、可視情報８は、着色顔料を含む感光性樹脂の硬化物層として着色樹脂層をフォトリソグラフィ法などによってパターン形成することができる。また、可視情報８は、図示はしないが、前記したように、白色系樹脂層２ｗの裏側に設ける色調整層２ａの非形成部のパターンとして、或いは裏打ち層２ｂのパターンとして設けることもできる。
【０１７２】
＜不透明領域Ａ２：窓＞
本発明においては、図示はしないが、不透明領域Ａ２の部分に、通知窓、赤外透過窓などが形成されていてもよい。
【０１７３】
通知窓は、例えば、電極付き表示装置用前面保護板１０を適用する表示装置が携帯電話の場合で言えば、着信や電池の充電状態などの各種動作状態を、光の点滅、点灯、及び色などにより、使用者に通知する部分である。通知窓には、公知の構成、材料及び形成法を採用することができる。
【０１７４】
通知窓は、図示はしないが、例えば、遮光層２の非形成部として設けることができる。
【０１７５】
赤外透過窓は、表示装置用前面保護板１０を適用する表示装置が携帯電話の場合で言えば、通話時に携帯電話を耳にあてがったときに、タッチパネルの誤作動を防ぐ必要から、また、表示パネルの表示を消して電池寿命を長くする観点などから、人肌の接近を感知する人感センサとして設ける赤外線センサの前方の部分に設けられる。赤外透過窓は、可視光に対しては遮光性を示すと共に赤外光に対しては透過性を示す。赤外透過窓には、公知の構成、材料及び形成法を採用することができる。
【０１７６】
赤外透過窓は、図示はしないが、例えば、遮光層２の非形成部として設けることができる。
【０１７７】
＜タッチパネルの他の変形例＞
次に図７（ａ）〜（ｄ）により、タッチパネルの他の変形例について説明する。
【０１７８】
図７（ａ）〜（ｄ）に示すタッチパネルの変形例は、遮光層２の構成と、ＩＭ層１１および保護層７の配置が異なるのみであり、他の構成は図１乃至図６に示す実施の形態と略同一である。
【０１７９】
図７（ａ）〜（ｄ）に示すタッチパネルの変形例において、図１乃至図６に示す実施の形態と同一部分には同一符号を付して詳細な説明は省略する。
【０１８０】
また図７（ａ）〜（ｄ）において、ＩＭ層１１および保護層７からなる透光層７、１１は便宜上単層として示し、また第１透明電極４ａと第２透明電極４ｂとからなる透明電極４も便宜上単層として示す。
【０１８１】
図７（ａ）に示すように、不透明領域Ａ２を形成する遮光層２は、白色系樹脂層２ｗと、色調整層２ａと、黒色顔料を含む裏打ち層２ｂとを有し、このうち白色系樹脂層２ｗと色調整層２ａは不透明領域Ａ２において略同一の厚みをもっている。また裏打ち層２ｂは遮光機能層として機能し、白色系樹脂層２ｗおよび色調整層２ｂの端部から更に表示用領域Ａ１側まで延びて薄肉延長部２ｅを構成する。
【０１８２】
透明基板１上に第１絶縁層５ａを介して透明電極４が設けられ、透明電極４上にＩＭ層１１および保護層７が設けられている。そして透明電極４上のＩＭ層１１および保護層７は、表示用領域Ａ１から不透明領域Ａ２まで延びて透明基板１の略全域を覆っている。
【０１８３】
図７（ａ）に示すタッチパネル１０において、遮光層２の裏打ち層２ｂが表示用領域Ａ１側まで延びて薄肉延長部２ｅを構成し、この薄肉延長部２ｅにより表示用領域Ａ１と不透明領域Ａ２との間の境界Ｂが画定される。
【０１８４】
また図７（ｂ）に示すように、不透明領域Ａ２を形成する遮光層２は、白色系樹脂層２ｗと、色調整層２ａと、黒色顔料を含む裏打ち層２ｂとを有し、このうち白色系樹脂層２ｗと色調整層２ａは不透明領域Ａ２において略同一の厚みをもっている。また裏打ち層２ｂは遮光機能層として機能し、白色系樹脂層２ｗおよび色調整層２ｂの端部から更に表示用領域Ａ１側まで延びて薄肉延長部２ｅを構成する。
【０１８５】
透明基板１上に第１絶縁層５ａを介して透明電極４が設けられ、透明電極４上にＩＭ層１１および保護層７が設けられている。そして透明電極４上のＩＭ層１１および保護層７は、表示用領域Ａ１から不透明領域Ａ２まで延びているが、薄肉延長部２ｅ上に止まっている。
【０１８６】
図７（ｂ）に示すタッチパネル１０において、遮光層２の裏打ち層２ｂが表示用領域Ａ１側まで延びて薄肉延長部２ｅを構成し、この薄肉延長部２ｅにより表示用領域Ａ１と不透明領域Ａ２との間の境界Ｂが画定される。
【０１８７】
また図７（ｃ）に示すように、不透明領域Ａ２を形成する遮光層２は、白色系樹脂層２ｗと、色調整層２ａと、黒色顔料を含む裏打ち層２ｂとを有し、このうち白色系樹脂層２ｗと色調整層２ａは不透明領域Ａ２において略同一の厚みをもっている。また裏打ち層２ｂは遮光機能層として機能し、白色系樹脂層２ｗおよび色調整層２ｂの端部から更に表示用領域Ａ１側まで延びて薄肉延長部２ｅを構成する。
【０１８８】
透明基板１上に第１絶縁層５ａを介して透明電極４が設けられ、透明電極４上にＩＭ層１１および保護層７が設けられている。そして透明電極４上のＩＭ層１１および保護層７は、表示用領域Ａ１から不透明領域Ａ２まで延び、薄肉延長部２ｅの左端まで達している。
【０１８９】
図７（ｃ）に示すタッチパネル１０において、遮光層２の裏打ち層２ｂが表示用領域Ａ１側まで延びて薄肉延長部２ｅを構成し、この薄肉延長部２ｅにより表示用領域Ａ１と不透明領域Ａ２との間の境界Ｂが画定される。
【０１９０】
あるいはまた、図７（ｄ）に示すように、不透明領域Ａ２を形成する遮光層２は、黒色顔料を含む裏打ち層２ｂのみからなり、この裏打ち層２ｂは遮光機能層として機能し、不透明領域Ａ２において略同一の厚みをもっている。
【０１９１】
透明基板１上に第１絶縁層５ａを介して透明電極４が設けられ、透明電極４上にＩＭ層１１および保護層７が設けられている。そして透明電極４上のＩＭ層１１および保護層７は、表示用領域Ａ１から不透明領域Ａ２まで延びて、透明基板１の略全域を覆っている。
【０１９２】
図７（ｄ）に示すタッチパネル１０において、遮光層２の裏打ち層２ｂにより、表示用領域Ａ１と不透明領域Ａ２との間の境界Ｂが画定される。
【符号の説明】
【０１９３】
１  透明基板
２  遮光層
２ａ  色調整層
２ｂ  裏打ち層
２ｅ  薄肉延長部
２ｗ  白色系樹脂層
４  透明電極
４ａ  第１透明電極
４ａＣ  接続部
４ｂ  第２透明電極
５ａ  第１絶縁層
５ｂ  第２絶縁層
６  配線
７  保護層
８  可視情報
１０  タッチパネル
１１  ＩＭ層
Ａ１  表示用領域
Ａ２  不透明領域
Ｓ１  第１面
Ｓ２  第２面
Ｖ  観察者
【図１】
0006459054.tif 000003
【図２】
0006459054.tif 000004
【図３】
0006459054.tif 000005
【図４】
0006459054.tif 000006
【図５】
0006459054.tif 000007
【図６】
0006459054.tif 000008
【図７】
0006459054.tif 000009